【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
保水性を有する不織布を含み、人間の顔に貼付可能なフェイスシートであって、
人間の顎領域に貼付可能な基部領域と、
前記基部領域からそれぞれ突状に延出する一対の延出領域と、
前記一対の延出領域をそれぞれの延在方向に引っ張る引っ張り動作の際の伸縮性が相対的に異なる低伸縮領域及び高伸縮領域と、
を含み、
前記低伸縮領域は、当該低伸縮領域の所定方向に１［Ｎ］の応力が作用した場合に前記所定方向に応力作用前のおよそ１〜５［％］伸長するよう構成され、
前記低伸縮領域は、不織布の表面に複数の凹凸を加熱型付けすることによって当該不織布の伸縮性を低下させたエンボス領域として構成されていることを特徴とするフェイスシート。
【請求項２】
請求項１に記載のフェイスシートであって、
当該フェイスシートを人間の顔に貼付した場合に、各延出領域のうち当該人間の顎領域と頬領域との間に延在する領域が、前記高伸縮領域として構成されることを特徴とするフェイスシート。
【請求項３】
請求項１または２に記載のフェイスシートであって、
前記高伸縮領域から外れた位置において人間の目元領域に貼付可能な貼付領域を有し、当該貼付領域が前記低伸縮領域として構成されることを特徴とするフェイスシート。
【請求項４】
請求項１から３のうちのいずれか１項に記載のフェイスシートであって、
前記高伸縮領域から外れた位置において人間の下顎角領域とこめかみ領域との間に貼付可能な貼付領域を有し、当該貼付領域が前記低伸縮領域として構成されることを特徴とするフェイスシート。
【請求項５】
請求項１から４のうちのいずれか１項に記載のフェイスシートであって、
前記基部領域に前記一対の延出領域を互いに接合する接合線を備え、前記接合線は、前記一対の延出領域を互いに折り重ねる動作を手動で行う際の折り重ね線として構成されることを特徴とするフェイスシート。
【請求項６】
請求項１から５のうちのいずれか１項に記載のフェイスシートであって、
当該フェイスシートは、人間の顔に直に接触する内側不織布シートと、フェイスシート外表面を構成する外側不織布シートを含む少なくとも２層構造の不織布シートとされ、
前記内側不織布シートは、親水処理が施された親水性繊維からなり、前記外側不織布シートは、捲縮処理が施された捲縮性繊維からなることを特徴とするフェイスシート。
【手続補正２】
【補正対象書類名】明細書
【補正対象項目名】全文
【補正方法】変更
【補正の内容】
【発明の詳細な説明】
【発明の名称】フェイスシート
【技術分野】
【０００１】
本発明は、人間の顔に貼付可能なフェイスシートに関するものである。
【背景技術】
【０００２】
従来、例えば下記特許文献１には、人間の顔に貼付可能なフェイスシートが開示されており、特に不織布に化粧料を含浸させた被覆シートを用いてフェイスシートを構築する点が開示されている。この種のフェイスシートにおいては、人間の顔のリフトアップ効果を所望のレベルに維持したいという要請がある一方で、リフトアップ効果を優先させたい部位と、リフトアップ効果よりも顔との密着効果を優先させたい部位とが存在する。従って、この種のフェイスシートの設計に際しては、人間の顔の各部位に適応したフェイスシートが望まれている。
【先行技術文献】
【特許文献】
【０００３】
【特許文献１】特開２０１０−２８１００３号公報
【発明の開示】
【発明が解決しようとする課題】
【０００４】
そこで、本発明は、かかる点に鑑みてなされたものであり、保水性を有する不織布を含み、人間の顔に貼付可能なフェイスシートであって、人間の顔の各部位に適応したフェイスシートを提供することを課題とする。
【課題を解決するための手段】
【０００５】
上記課題を達成するため、各請求項記載の発明が構成される。
【０００６】
本発明にかかるフェイスシートは、保水性を有する不織布を含み、人間の顔に貼付可能なフェイスシートであって、基部領域、一対の延出領域、低伸縮領域及び高伸縮領域を含む。保水性を有する不織布は、フェイスシートの全部又は一部を構成することができる。基部領域は、人間の顎領域に貼付可能な領域として構成される。一対の延出領域は、基部領域からそれぞれ突状に延出する領域として構成される。低伸縮領域は、一対の延出領域をそれぞれの延在方向に引っ張る引っ張り動作の際の伸縮性が、高伸縮領域の伸縮性に比べて相対的に低い領域として構成される。即ち、この低伸縮領域は、その伸長の度合が高伸縮領域の伸張の度合よりも小さく、且つその収縮の度合が高伸縮領域の収縮の度合よりも小さくなるように構成されるのが好ましい。この低伸縮領域は、典型的には、人間の顔にフェイスシートを貼付した場合に、顔面の所定部位との密着性が維持されるように当該所定部位に余分な応力を付与しない程度の伸縮性を有することが好ましい。一方で、高伸縮領域は、一対の延出領域をそれぞれの延在方向に引っ張る引っ張り動作の際の伸縮性が、低伸縮領域の伸縮性に比べて相対的に高い領域として構成される。即ち、この高伸縮領域は、その伸長の度合が低伸縮領域の伸張の度合よりも大きく、且つその収縮の度合が低伸縮領域の収縮の度合よりも大きくなるように構成されるのが好ましい。この高伸縮領域は、典型的には、人間の顔にフェイスシートを貼付した場合に、顔面の所定部位のリフトアップが可能となる程度の伸縮性を有することが好ましい。このような構成によれば、人間の顔の各部位のうちリフトアップ効果を優先させたい部位に対しては高伸縮領域を割り当てる一方で、顔との密着効果を優先させたい部位に対しては低伸縮領域を割り当てることができる。これにより、フェイスシート全体の伸縮性を所望の形態にコントロールすることが可能となり、人間の顔の各部位に適応したフェイスシートを実現できる。
また、本発明にかかるフェイスシートでは、低伸縮領域は、当該低伸縮領域の所定方向に１［Ｎ］の応力が作用した場合にその所定方向に応力作用前のおよそ１〜５［％］伸長する構成である。これにより、所望の密着効果を得るのに好適な、低伸縮領域の伸長性の設定を行うことができる。
また、本発明にかかるフェイスシートでは、低伸縮領域は、不織布の表面に複数の凹凸を加熱型付けすることによって、いわゆるエンボス加工を施すことによって、当該不織布の伸縮性を低下させたエンボス領域として構成されている。これにより、不織布にエンボス加工を施すことによって低伸縮領域を簡単に形成することが可能となる。
【０００７】
本発明にかかる更なる形態のフェイスシートは、当該フェイスシートを人間の顔に貼付した場合に、各延出領域のうち当該人間の顎領域と頬領域との間に延在する領域が高伸縮領域として構成されるのが好ましい。これにより、人間の顎領域を基点として延出する延出領域のうち当該人間の顎領域と頬領域との間に延在する領域の高伸縮性によって、所望のリフトアップ効果を得ることができる。
【０００８】
本発明にかかる更なる形態のフェイスシートは、高伸縮領域から外れた位置において人間の目元領域に貼付可能な貼付領域を有し、当該貼付領域が低伸縮領域として構成されるのが好ましい。これにより、人間の目元領域に貼付可能な貼付領域の低伸縮性によって、所望の密着効果を得ることができる。
【０００９】
本発明にかかる更なる形態のフェイスシートは、高伸縮領域から外れた位置において人間の下顎角領域とこめかみ領域との間に貼付可能な貼付領域を有し、当該貼付領域が低伸縮領域として構成されるのが好ましい。これにより、人間の下顎角領域とこめかみ領域との間に貼付可能な貼付領域の低伸縮性によって、所望の密着効果を得ることができる。
【００１０】
本発明にかかる更なる形態のフェイスシートは、基部領域に一対の延出領域を互いに接合する接合線を備え、この接合線は、一対の延出領域を互いに折り重ねる動作を手動で行う際の折り重ね線として構成されるのが好ましい。これにより、一対の延出領域のための接合線を折り重ね動作の際に用いることができるため合理的である。
【００１１】
本発明にかかる更なる形態のフェイスシートは、人間の顔に直に接触する内側不織布シートと、フェイスシート外表面を構成する外側不織布シートを含む少なくとも２層構造の不織布シートとされ、内側不織布シートは、親水処理が施された親水性繊維からなり、外側不織布シートは、捲縮処理が施された捲縮性繊維からなるのが好ましい。これにより、内側不織布シートを、化粧水、美容液等の液体の保水機能及び排出機能を有する不織布シートとして利用し、外側不織布シートを、伸縮性を付与するための不織布シートとして利用することができる。
【発明の効果】
【００１２】
以上のように、本発明によれば、保水性を有する不織布を含み、人間の顔に貼付可能なフェイスシートであって、人間の顔の各部位に適応したフェイスシートを提供することが可能となった。
【図面の簡単な説明】
【００１３】
【図１】本発明にかかる第１の実施形態のフェイスシート１０を人間の顔に貼付された状態にて示す正面図である。
【図２】図１中のフェイスシート１０の成形前の状態を示す平面図である。
【図３】図１中のフェイスシート１０の折り畳み状態を示す平面図である。
【図４】図３中のフェイスシート１０の断面構造を示す図である。
【図５】本発明にかかる第２の実施形態のフェイスシート２０を人間の顔に貼付された状態にて示す正面図である。
【図６】図５中のフェイスシート２０の折り畳み状態を示す平面図である。
【図７】本発明にかかる第３の実施形態のフェイスシート３０を人間の顔に貼付された状態にて示す正面図である。
【図８】図７中のフェイスシート３０の折り畳み状態を示す平面図である。
【図９】本発明にかかる第４の実施形態のフェイスシート４０を人間の顔に貼付された状態にて示す正面図である。
【図１０】図９中のフェイスシート４０の折り畳み状態を示す平面図である。
【発明を実施するための形態】
【００１４】
以下、本発明にかかる「フェイスシート」の実施形態について、図面を参照しつつ詳細に説明する。ここでいう「フェイスシート」は、人間の顔に貼付可能なシート体として構成される一方、他方では人間の顔を被覆可能な「フェイスマスク」とも称呼される。
【００１５】
＜第１の実施形態＞
図１には、第１の実施形態のフェイスシート１０が人間の顔に貼付された状態を顔正面から視た様子が示されており、また図２には、図１中のフェイスシート１０の成形前の状態が示されている。このフェイスシート１０は、図１に示すように一対（２片）のシート構成片１１，１２が接合線１３において接合されることによって成形状態になる。具体的には、図２に示すように略Ｖ字状にカットされた平面シート１０ａをその中央部分の切欠き縁部１０ｂ，１０ｃにて重ねて、当該切欠き縁部を融着（「溶着」ともいう）で互いに接合することによって、フェイスシート１０が成形される。この場合の融着として、熱によるものや超音波によるものを適宜用いることができる。これにより、フェイスシート１０は、一対のシート構成片１１，１２が人間の顔の表面に倣った立体形状になる。なお、このフェイスシート１０が、後述する別実施の形態のフェイスシート２０〜４０の本質的な構造を有している。
【００１６】
図１中のフェイスシート１０の折り畳み状態が図３に示されている。図３に示すように、フェイスシート１０の接合線１３は、当該フェイスシートの包装時や使用前等のように、一対のシート構成片１１，１２を互いに折り重ねる動作を手動で行う際の折り重ね線として構成される。ここでいう接合線１３が、本発明における「接合線」に相当する。これにより、一対のシート構成片１１，１２のための接合線を折り重ね動作の際に用いることができるため合理的である。
【００１７】
一対のシート構成片１１，１２は、これらシート構成片１１，１２の間の基部領域１５からからそれぞれ突状（長尺状）に延出する延出領域（所定の方向に延在する「延在領域」ともいう）として構成される。基部領域１５は、フェイスシート１０の各部位のうち人間の顎領域に貼付可能な領域として構成される。一対のシート構成片１１，１２はそれぞれ、フェイスシート１０の各部位のうち人間の顎領域から頬領域にかけて貼付可能となるように構成される。これら一対のシート構成片１１，１２は、フェイスシート１０を人間の顔に貼付した状態を顔正面から視た場合に、当該人間の顎領域と頬領域との間に所定のフェイスラインに沿って直線状又は曲線状に延在することで略Ｖ字状に形成される。具体的には、下顎突部Ａとこめかみ領域Ｂとを結ぶ基準線Ｌ１に沿って各シート構成片１１，１２が延在しており、基部領域１５を挟んで２つの基準線Ｌ１，Ｌ１のなす角度θは、典型的には３０°〜６０°、より好ましくは４５°前後とされる。前記フェイスラインは、下顎突部Ａとこめかみ領域Ｂ、及びこれら下顎突部Ａとこめかみ領域Ｂとの間の領域を結ぶ側部フェイスラインとして定義され得る。これにより、所望のリフトアップ効果を得るのに好適な、一対のシート構成片１１，１２間の角度の設定を行うことができる。
【００１８】
また、シート構成片１１，１２は、少なくともその延在方向、即ち基準線Ｌ１に沿った方向に関して所定の伸縮性を有する。これにより、人間の顎領域を基点として延出する一対のシート構成片１１，１２の伸縮性によって、当該延出方向について人間の顔の、特に頬領域のリフトアップ効果（リフトアップ応力）が生じる。このシート構成片１１，１２はそれぞれ、その延出方向（基準線Ｌ１に沿った方向）に１［Ｎ］の応力が作用した場合に、当該延出方向に応力作用前のおよそ２０［％］伸長する伸長性を有するのが好ましい。これにより、所望のリフトアップ効果を得るのに好適な、各シート構成片１１，１２のその延出方向についての伸長性の設定を行うことができる。一方で、このシート構成片１１，１２はそれぞれ、前記応力が解除された場合には、その延出方向（基準線Ｌ１に沿った方向）について応力解除前の７０〜８０［％］の寸法となるように収縮する収縮性（「回復性」ともいう）を有するのが好ましい。
【００１９】
基部領域１５は、一方のシート構成片１１の内面と他方のシート構成片１２の内面とで囲まれる領域のうち接合線１３の近傍領域に、当該フェイスシートが図１に示すように立体形状とされた場合に凹状に形成される凹部１４を備えている。即ち、基部領域１５は、下顎突部Ａを被覆する凹状に形成されている。この凹部１４は、シート貼付時に人間の下顎突部Ａを被覆するように嵌め込まれることによって当該下顎突部Ａに対してフェイスシート１０を固定する機能、即ち位置決め機能を果たす。これにより、各シート構成片は、基部領域１５が下顎突部Ａによって支持された状態で当該人間の頬領域へと延出する。従って、各シート構成片１１，１２の一端部が人間の下顎突部Ａに固定されるため、当該シート構成片によるリフトアップ効果がより確実なものとなる。なお、この凹部１４に代えて或いは加えて、フェイスシート１０に人間の下顎突部Ａに係合可能な開口部（穴）を設けることもできる。
【００２０】
一方のシート構成片１１のうち基部領域１５から離間する先端側には、つまみ部１１ａが設けられており、このつまみ部１１ａは、当該シート構成片１１の延出方向への引っ張り操作を手動で行うための操作部として構成される。同様に、他方のシート構成片１２のうち基部領域１５から離間する先端側には、つまみ部１２ａが設けられており、このつまみ部１２ａは、当該シート構成片１２の延出方向への引っ張り操作を手動で行うための操作部として構成される。即ち、これらつまみ部１１ａ，１２ａはいずれも、使用者が手指でつまんで引っ張ることがきるような大きさを有している。これにより、各シート構成片をその延出方向へ引っ張る操作を、つまみ部１１ａ，１２ａのつまみ部を用いて容易に行うことが可能となる。
【００２１】
なお、本明細書中でいう「顎領域」として典型的には、人間の下顎突部（下顎つまみ部）やその周辺部分が挙げられる。また、「頬領域」として典型的には、人間の下顎突部とこめかみ領域とを結ぶ線上に存在する部分が挙げられる。本実施の形態の一対のシート構成片１１，１２が、本発明における「一対の延出領域」を構成しており、また本実施の形態の基部領域１５が、本発明における「基部領域」を構成している。
【００２２】
上記構成のフェイスシート１０は、シート状の不織布によって構成される。この不織布については、図３中の折り畳み状態のフェイスシート１０のＤ−Ｄ線についての断面構造を示す図４が参照される。図４に示すように、フェイスシート１０のシート構成片１１，１２はいずれも、内側不織布シート１１０及び外側不織布シート１２０からなる２層構造の不織布シートとして構成される。内側不織布シート１１０は、シート貼付時に人間の顔（肌面）に直に接触する不織布シートとされ、シート内面を形成する。外側不織布シート１２０は、シート貼付時にシート外面を形成する不織布シートとして構成される。
【００２３】
内側不織布シート１１０は、典型的にはレーヨン、コットン等、親水処理が施された親水性繊維を主体として構成される。この内側不織布シート１１０は、化粧水、美容液等の液体をシート内に保持する保水機能と、一旦保持した液体をシート外へと徐々に排出する排出機能を有する。これにより、フェイスシート１０の貼付前に予め内側不織布シート１１０に保持された液体を、フェイスシート１０の貼付後に内側不織布シート１１０から排出して肌へと浸透させることができる。この内側不織布シート１１０は、本来、親水性を有する繊維自体を用いて構成されてもよいし、或いは疎水性の繊維に親水性処理が施された繊維を用いて構成されてもよい。また、この内側不織布シート１１０は、人間の顔に直に接触するところ、肌触りの良い素材で構成されるのが好ましい。ここでいう内側不織布シート１１０は、フェイスシート１０の一部を構成する不織布であり、本発明における「保水性を有する不織布」及び「内側不織布シート」に相当する。
【００２４】
一方で、外側不織布シート１２０は、捲縮処理が施された捲縮性繊維を主体として構成される。捲縮性繊維は伸縮性を有するため、フェイスシート１０の貼付時に外側不織布シート１２０の伸縮性を利用することによって、人間の顔の所望のリフトアップ効果を得ることができる。このリフトアップ効果の詳細については後述する。この外側不織布シート１２０は、疎水性の捲縮性繊維を用いて構成されてもよいし、或いは疎水性の捲縮性繊維に親水性処理が施された繊維を用いて構成されてもよい。ここでいう外側不織布シート１２０が本発明における「外側不織布シート」に相当する。
【００２５】
なお、フェイスシート１０を内側不織布シート１１０及び外側不織布シート１２０からなる２層構造とする構成に代えて、各不織布シートの前述の機能を兼ね備える１層構造（単一の不織布シート）を用いることもできる。また、必要に応じて、内側不織布シート１１０と外側不織布シート１２０との間に１又は複数の別の不織布シートを介在させてもよい。
【００２６】
上記構成のフェイスシート１０を人間の顔に貼付する場合の作用効果を、図１を参照しつつ説明する。
【００２７】
図１によれば、フェイスシート１０の使用時には、まず基部領域１５の凹部１４が下顎突部Ａに嵌め込まれて、当該下顎突部Ａに対してフェイスシート１０が位置決めされる。その後、基部領域１５を基点として、一対のシート構成片１１，１２がそれぞれ使用者の手指によって頬領域の方向へと引っ張られる。このとき、一対のシート構成片１１，１２は、概ね等しい引張力を受けるとともに、当該引張力に基づく収縮によって頬領域のリフトアップ、即ちたるみの引き上げを行う。即ち、基部領域１５が当該人間の顎領域に被着され、一対のシート構成片１１，１２がそれぞれ当該人間の頬領域に被着され、この被着状態で各シート構成片は、基部領域１５を基点として当該人間の頬領域へと引っ張られることで概ね等しい引張力を受けるとともに、当該引張力に基づく収縮によって当該人間の頬領域のリフトアップを行う。この引っ張り操作は、使用者がつまみ部１１ａ，１２ａを手指でつまんで行われるのが好ましい。これにより、使用者は、つまみ部１１ａ，１２ａを手指でつまんだ状態で一定方向に引き上げる簡単な操作のみによって、フェイスシート１０の理想的なリフトアップ形状を達成することができる。かくして、人間の顔のうち特に頬領域について所望のリフトアップ効果が得られる。更に、このリフトアップ形状が維持された状態で、化粧水、美容液等の液体が肌へと浸透することによって、当該液体による美容効果との相乗効果を得ることができる。
【００２８】
＜第２の実施形態＞
第２実施の形態のフェイスマスク２０は、上記フェイスマスク１０の変形例とされる。ここで図５には、第２の実施形態のフェイスシート２０が人間の顔に貼付された状態を顔正面から視た様子が示されており、また図６には、図５中のフェイスシート２０の折り畳み状態が示されている。
【００２９】
フェイスシート２０は、図５及び図６に示すように、一対のシート構成片２１，２２が第１の実施形態と同様の接合線１３において接合されることによって成形状態になる。このフェイスシート２０のシート構成片２１，２２はいずれも、前述の内側不織布シート１１０及び外側不織布シート１２０からなる２層構造の不織布シートとして構成される。シート構成片２１，２２は、少なくともその延在方向、即ち基準線Ｌ１に沿った方向に関して伸縮性を有する。このシート構成片２１，２２はそれぞれ、第１実施の形態のシート構成片１１，１２について前述の「伸長性」及び「収縮性」を有するのが好ましい。また、一対のシート構成片２１，２２は、第１の実施形態のつまみ部１１ａ，１２ａと同様のつまみ部２１ａ，２２ａを備えている。
【００３０】
更に、このフェイスシート２０では、各シート構成片２１，２２は、その延出方向と交差する方向に関して、即ち基準線Ｌ１と交差し且つ下顎角領域Ｃ（えら張り部）を通る基準線Ｌ２に沿った方向に関して所定の伸縮性を有する。これにより、各シート構成片２１，２２の延出方向と交差する交差方向の伸縮性によって、当該交差方向について人間の顔の、特に頬領域のリフトアップ効果（リフトアップ応力）が生じる。このシート構成片２１，２２はそれぞれ、基準線Ｌ２に沿った方向に１［Ｎ］の応力が作用した場合に当該方向に応力作用前のおよそ２０［％］伸長する伸長性を有するのが好ましい。これにより、所望のリフトアップ効果を得るのに好適な、各シート構成片２１，２２のその延出方向と交差する方向についての伸長性の設定を行うことができる。一方で、このシート構成片２１，２２はそれぞれ、前記応力が解除された場合には、基準線Ｌ２に沿った方向について応力解除前の７０〜８０［％］の寸法となるように収縮する収縮性を有するのが好ましい。
【００３１】
また、一対のシート構成片２１，２２は、下顎角領域Ｃに対応する領域に、つまみ部２１ａ，２２ａとは別のつまみ部２１ｂ，２２ｂを備えている。つまみ部２１ｂ，２２ｂは、各シート構成片２１，２２の下顎角領域Ｃの方向への引っ張り操作を手動で行うための操作部として構成される。即ち、これらつまみ部２１ｂ，２２ｂはいずれも、使用者が手指でつまんで引っ張ることがきるような大きさを有している。これにより、各シート構成片をその延出方向と交差する方向へ引っ張る操作を、つまみ部２１ｂ，２２ｂを用いて容易に行うことが可能となる。
【００３２】
＜第３の実施形態＞
第３実施の形態のフェイスマスク３０は、上記フェイスマスク２０の変形例とされ、特にフェイスマスク２０よりも貼付領域を大幅に増やした実施例とされる。ここで、図７には、第３の実施形態のフェイスシート３０が人間の顔に貼付された状態を顔正面から視た様子が示されており、また図８には、図７中のフェイスシート３０の折り畳み状態が示されている。
【００３３】
フェイスシート３０は、図７及び図８に示すように、一対のシート構成片３１，３２が接合線３３において接合されることによって成形状態になる。各シート構成片３１，３２は、第２実施の形態の各シート構成片２１，２２をベースとして、更に人間の顔面のうち目の直下の領域まで貼付領域を拡張させたシート体として構成されている。接合線３３は、当該フェイスシートの包装時や使用前等のように、一対のシート構成片３１，３２を互いに折り重ねる動作を手動で行う際の折り重ね線として構成される。ここでいう接合線３３が、本発明における「接合線」に相当する。
【００３４】
このフェイスシート３０のシート構成片３１，３２はいずれも、前述の内側不織布シート１１０及び外側不織布シート１２０からなる２層構造の不織布シートとして構成される。シート構成片３１，３２は、下顎突部Ａとこめかみ領域Ｂとを結ぶ基準線Ｌ１に沿った方向に関して伸縮性を有する。このシート構成片３１，３２はそれぞれ、基準線Ｌ１に沿った方向に１［Ｎ］の応力が作用した場合に当該方向に応力作用前のおよそ２０［％］伸長する伸長性を有するのが好ましい。一方で、このシート構成片３１，３２はそれぞれ、前記応力が解除された場合には、基準線Ｌ１に沿った方向について応力解除前の７０〜８０［％］の寸法となるように収縮する収縮性を有するのが好ましい。また、一対のシート構成片３１，３２は、第２の実施形態のつまみ部２１ａ，２２ａと同様のつまみ部３１ａ，３２ａを備えている。
【００３５】
更に、このフェイスシート３０では、各シート構成片３１，３２は、基準線Ｌ１と交差し且つ下顎角領域Ｃ（えら張り部）を通る基準線Ｌ２に沿った方向に関して伸縮性を有する。このシート構成片３１，３２はそれぞれ、基準線Ｌ２に沿った方向に１［Ｎ］の応力が作用した場合に当該方向に応力作用前のおよそ２０［％］伸長する伸長性を有するのが好ましい。一方で、このシート構成片３１，３２はそれぞれ、前記応力が解除された場合には、基準線Ｌ２に沿った方向について応力解除前の７０〜８０［％］の寸法となるように収縮する収縮性を有するのが好ましい。また、一対のシート構成片３１，３２は、下顎角領域Ｃに対応する領域に、第２の実施形態のつまみ部２１ｂ，２２ｂと同様のつまみ部３１ｂ，３２ｂを備えている。
【００３６】
更に、このフェイスシート３０では、一対のシート構成片３１，３２はそれぞれ、相対的に伸縮性の低い低伸縮領域を有する。具体的には、各シート構成片は、人間の顎領域と頬領域との間に延在する基準線Ｌ１上の部位（高伸縮領域３４）よりも伸縮性が低い部位としての低伸縮領域３５及び３６を有する。即ち、これら低伸縮領域３５及び３６は、その伸長の度合が高伸縮領域３４の伸張の度合よりも小さく、且つその収縮の度合が高伸縮領域３４の収縮の度合よりも小さくなるように構成されるのが好ましい。これら低伸縮領域３５及び３６は、典型的には、人間の顔にフェイスシートを貼付した場合に、顔面の所定部位との密着性が維持されるように当該所定部位に余分な応力を付与しない程度の伸縮性を有することが好ましい。
【００３７】
本実施の形態では、低伸縮領域３５，３５はいずれも、人間の目元領域に貼付される貼付領域とされ、また低伸縮領域３６，３６はいずれも、人間の下顎角領域Ｃとこめかみ領域Ｂとの間の領域に貼付される貼付領域として構成される。目元領域等には余分な応力が作用しないことが好ましいため、当該添付領域は前述のリフトアップ効果を優先させたい部位ではなく、むしろ顔面との密着効果を優先させるべく伸縮性を抑えた部位であることを要する。従って、高伸縮領域３４は、前述のリフトアップ形状に関与するように基準線Ｌ１上に配置されるのに対し、これら低伸縮領域３５及び３６はいずれも、当該リフトアップ形状に関与しない基準線Ｌ１から外れた部位として構成される。これにより、人間の顔の各部位のうちリフトアップ効果を優先させたい部位に対しては高伸縮領域３４を割り当てる一方で、顔との密着効果を優先させたい部位に対しては低伸縮領域３５及び３６を割り当てることができ、フェイスシート３０全体の伸縮性を所望の形態にコントロールすることが可能となる。かくして、人間の顔の各部位に適応したフェイスシートを実現できる。ここでいう高伸縮領域３４が本発明における「高伸縮領域」に相当し、また低伸縮領域３５及び３６が、本発明における「低伸縮領域」に相当する。
【００３８】
上記低伸縮領域３５及び３６はいずれも、当該領域の所定方向に１［Ｎ］の応力が作用した場合に前記所定方向に応力作用前のおよそ１〜５［％］伸長する低伸長性を有するのが好ましい。これにより、所望の密着効果を得るのに好適な、低伸縮領域３５及び３６の伸長性の設定を行うことができる。ここで、低伸縮領域３５及び３６はいずれも、シート構成片を構成する不織布の表面に複数の凹凸を加熱型付けすることによって、即ち熱エンボス加工によって当該不織布の伸縮性を低下させたエンボス領域として構成されるのが好ましい。例えば、エンボスピッチが１２．５［ｍｍ］の場合に応力作用前のおよそ５［％］伸長し、エンボスピッチが７［ｍｍ］の場合に応力作用前のおよそ１［％］伸長することが測定された。これにより、不織布に熱エンボス加工を施すことによって低伸縮領域３５及び３６を簡単に形成することが可能となる。
【００３９】
＜第４の実施形態＞
第４実施の形態のフェイスマスク４０は、上記フェイスマスク３０の変形例とされ、特にフェイスマスク３０よりも貼付領域を増やした実施例とされる。ここで、図９には、第４の実施形態のフェイスシート４０が人間の顔に貼付された状態を顔正面から視た様子が示されており、また図１０には、図９中のフェイスシート４０の折り畳み状態が示されている。なお、図９及び図１０において、図７及び図８と同一の構成要素には同一の符号を付しており、当該同一の構成要素についての説明は省略する。また、これら図９及び図１０においては、便宜上、低伸縮領域３５及び３６に相当する領域の図示を省略している。
【００４０】
フェイスシート４０は、図９及び図１０に示すように、一対のシート構成片４１，４２が第３の実施形態と同様の接合線３３において接合されることによって成形状態になる。各シート構成片４１，４２は、第３実施の形態の各シート構成片３１，３２をベースとして、更に人間の顔面のうち目よりも上方の領域や、下顎の裏の領域にも貼付領域を拡張させたシート体として構成されている。従って、シート構成片４１，４２はそれぞれ、シート構成片３１，３２に更に、目上貼付部４７及び下顎裏側貼付部４８が追加された構成になっている。目上貼付部４７は、人間の顔の各部位のうち目よりも上方のおでこ等の目上領域に貼付されるように構成される。下顎裏側貼付部４８は、人間の顔の各部位のうち下顎裏側領域に貼付されるように構成される。本構成のフェイスシート４０によれば、保湿等の美容効果を付与したい顔の部位に基づいて貼付領域を増やすことができる。更に、必要に応じて、フェイスシートの一部（例えば、下顎裏側貼付部４８）が人間の首領域（例えば、首前面から首側面にかけての領域）にも貼付されるように構成することができる。
【００４１】
（他の実施の形態）
なお、本発明は上記の実施の形態のみに限定されるものではなく、種々の応用や変形が考えられる。例えば、上記実施の形態を応用した次の各形態を実施することもできる。
【００４２】
上記実施の形態のフェイスシート３０，４０では、不織布に熱エンボス加工を施すことによって低伸縮領域３５及び３６を形成する場合について記載したが、本発明では、熱エンボス加工以外の方法を用いたり、不織布の種類を変更することによって伸縮性を低下させることもできる。
【００４３】
上記実施の形態のフェイスシート１０〜４０はいずれも一対（２片）のシート構成片を熱や超音波による融着で接合することで成形される場合について記載したが、本発明では、シート構成片の数は１又は３以上であってもよく、また融着以外に接着剤による接合方法を用いることもできる。
【００４４】
また、上記実施の形態のフェイスシート１０〜４０では、シート構成片同士の接合部分に形成される凹部１４を利用して、下顎突部Ａに対して当該フェイスシートを固定する構成について記載したが、本発明では、フェイスシートの平面部分を凹状に加工したり、フェイスシートの平面部分に開口部（穴）を形成することによって、凹部１４に相当する部位を設けることもできる。この場合、シート構成片の数が１つの、接合部分のないフェイスシートとすることができるため、部品点数が少なくて済む。
【００４５】
上記実施の形態や種々の変更例の記載に基づいた場合、本発明では、以下の各態様を採用することが可能である。
【００４６】
（態様１）
保水性を有する不織布を含み、人間の顔に貼付可能なフェイスシートであって、
人間の顎領域に貼付可能な基部領域と、
前記基部領域からそれぞれ突状に延出する一対の延出領域と、
前記一対の延出領域をそれぞれの延在方向に引っ張る引っ張り動作の際の伸縮性が相対的に異なる低伸縮領域及び高伸縮領域と、
を含むことを特徴とするフェイスシート。
【００４７】
（態様２）
態様１に記載のフェイスシートであって、
前記低伸縮領域は、当該低伸縮領域の所定方向に１［Ｎ］の応力が作用した場合に前記所定方向に応力作用前のおよそ１〜５［％］伸長することを特徴とするフェイスシート。
【００４８】
（態様３）
態様２に記載のフェイスシートであって、
前記低伸縮領域は、不織布の表面に複数の凹凸を加熱型付けすることによって当該不織布の伸縮性を低下させたエンボス領域として構成されていることを特徴とするフェイスシート。
【００４９】
（態様４）
態様１から３のうちのいずれかに記載のフェイスシートであって、
当該フェイスシートを人間の顔に貼付した場合に、各延出領域のうち当該人間の顎領域と頬領域との間に延在する領域が、前記高伸縮領域として構成されることを特徴とするフェイスシート。
【００５０】
（態様５）
態様１から４のうちのいずれかに記載のフェイスシートであって、
前記高伸縮領域から外れた位置において人間の目元領域に貼付可能な貼付領域を有し、当該貼付領域が前記低伸縮領域として構成されることを特徴とするフェイスシート。
【００５１】
（態様６）
態様１から４のうちのいずれかに記載のフェイスシートであって、
前記高伸縮領域から外れた位置において人間の下顎角領域とこめかみ領域との間に貼付可能な貼付領域を有し、当該貼付領域が前記低伸縮領域として構成されることを特徴とするフェイスシート。
【００５２】
（態様７）
態様１から６のうちのいずれかに記載のフェイスシートであって、
前記基部領域に前記一対の延出領域を互いに接合する接合線を備え、前記接合線は、前記一対の延出領域を互いに折り重ねる動作を手動で行う際の折り重ね線として構成されることを特徴とするフェイスシート。
【００５３】
（態様８）
態様１から７のうちのいずれかに記載のフェイスシートであって、
当該フェイスシートは、人間の顔に直に接触する内側不織布シートと、フェイスシート外表面を構成する外側不織布シートを含む少なくとも２層構造の不織布シートとされ、
前記内側不織布シートは、親水処理が施された親水性繊維からなり、前記外側不織布シートは、捲縮処理が施された捲縮性繊維からなることを特徴とするフェイスシート。
【００５４】
（態様９）
態様１から８のうちのいずれかに記載のフェイスシートであって、
当該フェイスシートを人間の顔に貼付した場合に、各延出領域のうち当該人間の顎領域と頬領域との間に延在する領域が、前記高伸縮領域として構成され、前記高伸縮領域の延出方向の伸縮性によって、当該延出方向について人間の頬領域のリフトアップ応力が生じることを特徴とするフェイスシート。
【００５５】
（態様１０）
態様１から９のうちのいずれかに記載のフェイスシートであって、
前記高伸縮領域は、人間の下顎突部とこめかみ領域とを結ぶ基準線に沿って延在することを特徴とするフェイスシート。
【００５６】
（態様１１）
態様１から１０のうちのいずれかに記載のフェイスシートであって、
前記高伸縮領域は、当該領域の延出方向に１［Ｎ］の応力が作用した場合に前記延出方向に応力作用前のおよそ２０［％］伸長する一方、前記応力が解除された場合には、前記延出方向について応力解除前の７０〜８０［％］の寸法となるように収縮することを特徴とするフェイスシート。
【００５７】
（態様１２）
態様１から１１のうちのいずれかに記載のフェイスシートであって、
前記高伸縮領域は、当該領域の延出方向と交差する交差方向に所定の伸縮性を有し、その伸縮性によって当該交差方向について人間の頬領域のリフトアップ応力が生じることを特徴とするフェイスシート。
【００５８】
（態様１３）
態様１２に記載のフェイスシートであって、
前記高伸縮領域は、前記交差方向に１［Ｎ］の応力が作用した場合に前記交差方向に応力作用前のおよそ２０［％］伸長する一方、前記応力が解除された場合には、前記交差方向について応力解除前の７０〜８０［％］の寸法となるように収縮することを特徴とするフェイスシート。
【００５９】
（態様１４）
態様１２又は１３に記載のフェイスシートであって、
前記交差方向は、人間の下顎突部とこめかみ領域とを結ぶ基準線と交差し、且つ下顎角領域を通る基準線に沿った方向として規定されることを特徴とするフェイスシート。
【００６０】
（態様１５）
態様１から１４のうちのいずれかに記載のフェイスシートであって、
更に、人間の顔の各部位のうち目上領域に貼付されるように構成されていることを特徴とするフェイスシート。
【００６１】
（態様１６）
態様１から１４のうちのいずれかに記載のフェイスシートであって、
更に、人間の顔の各部位のうち下顎裏側領域に貼付されるように構成されていることを特徴とするフェイスシート。
【００６２】
上記実施の形態や種々の変更例の記載に基づいた場合、本発明では、以下の各アスペクトを採用することが可能である。
【００６３】
（アスペクト１）
保水性を有する不織布を含み、人間の顔に貼付可能なフェイスシートであって、
人間の顎領域に貼付可能な基部領域と、
前記基部領域からそれぞれ突状に延出する一対の延出領域と、
前記一対の延出領域をそれぞれの延在方向に引っ張る引っ張り動作の際の伸縮性が相対的に異なる低伸縮領域及び高伸縮領域と、を含むことを特徴とするフェイスシート。
【００６４】
（アスペクト２）
アスペクト１に記載のフェイスシートであって、
当該フェイスシートを人間の顔に貼付した場合に、各延出領域のうち当該人間の顎領域と頬領域との間に延在する領域が、前記高伸縮領域として構成されることを特徴とするフェイスシート。
【００６５】
（アスペクト３）
アスペクト１に記載のフェイスシートであって、
前記基部領域に前記一対の延出領域を互いに接合する接合線を備え、前記接合線は、前記一対の延出領域を互いに折り重ねる動作を手動で行う際の折り重ね線として構成されることを特徴とするフェイスシート。
【００６６】
（アスペクト４）
アスペクト１に記載のフェイスシートであって、
当該フェイスシートは、人間の顔に直に接触する内側不織布シートと、フェイスシート外表面を構成する外側不織布シートを含む少なくとも２層構造の不織布シートとされ、
前記内側不織布シートは、親水処理が施された親水性繊維からなり、前記外側不織布シートは、捲縮処理が施された捲縮性繊維からなることを特徴とするフェイスシート。
【００６７】
（アスペクト５）
アスペクト１に記載のフェイスシートであって、
当該フェイスシートを人間の顔に貼付した場合に、各延出領域のうち当該人間の顎領域と頬領域との間に延在する領域が、前記高伸縮領域として構成され、前記高伸縮領域の延出方向の伸縮性によって、当該延出方向について人間の頬領域のリフトアップ応力が生じることを特徴とするフェイスシート。
【００６８】
（アスペクト６）
アスペクト１に記載のフェイスシートであって、
前記高伸縮領域は、人間の下顎突部とこめかみ領域とを結ぶ基準線に沿って延在することを特徴とするフェイスシート。
【００６９】
（アスペクト７）
アスペクト１に記載のフェイスシートであって、
更に、人間の顔の各部位のうち目上領域に貼付されることを特徴とするフェイスシート。
【００７０】
（アスペクト８）
アスペクト１に記載のフェイスシートであって、
更に、人間の顔の各部位のうち下顎裏側領域に貼付されることを特徴とするフェイスシート。
【００７１】
（アスペクト９）
保水性を有する不織布を含み、人間の顔に貼付可能なフェイスシートであって、
人間の顔に貼付した状態で、所定のフェイスラインに沿って延在する延在領域と、
前記延在領域をその延在方向に引っ張る引っ張り動作の際の伸縮性が相対的に異なる低伸縮領域及び高伸縮領域と、
を備え、
前記低伸縮領域は、不織布の表面に複数の凹凸を加熱型付けすることによって当該不織布の伸縮性を低下させたエンボス領域として構成されていることを特徴とするフェイスシート。
【００７２】
（アスペクト１０）
アスペクト９に記載のフェイスシートであって、
前記低伸縮領域は、当該低伸縮領域の所定方向に１［Ｎ］の応力が作用した場合に前記所定方向に応力作用前のおよそ１〜５［％］伸長することを特徴とするフェイスシート。
【００７３】
（アスペクト１１）
保水性を有する不織布を含み、人間の顔に貼付可能なフェイスシートであって、
人間の顔に貼付した状態で、所定のフェイスラインに沿って延在する延在領域と、
前記延在領域をその延在方向に引っ張る引っ張り動作の際の伸縮性が相対的に異なる低伸縮領域及び高伸縮領域と、
を備え、
前記低伸縮領域は、前記高伸縮領域から外れた位置において人間の目元領域に貼付可能な貼付領域を含むことを特徴とするフェイスシート。
【００７４】
（アスペクト１２）
アスペクト１１に記載のフェイスシートであって、
前記低伸縮領域は、更に前記高伸縮領域から外れた位置において人間の下顎角領域とこめかみ領域との間に貼付可能な貼付領域を含むことを特徴とするフェイスシート。
【符号の説明】
【００７５】
１０  フェイスシート
１０ａ  平面シート
１０ｂ，１０ｃ  切欠き縁部
１１，１２  シート構成片
１１ａ，１２ａ  つまみ部
１３  接合線
１４  凹部
１５  基部領域
２０  フェイスシート
２１，２２  シート構成片
２１ａ，２２ｂ，２２ａ，２２ｂ  つまみ部
３０  フェイスシート
３１，３２  シート構成片
３１ａ，３２ｂ，３２ａ，３２ｂ  つまみ部
３３  接合線
３４  高伸縮領域
３５，３６  低伸縮領域
４０  フェイスシート
４１，４２  シート構成片
４７  目上貼付部
４８  下顎裏側貼付部
１１０  内側不織布シート
１２０  外側不織布シート
Ａ  下顎突部
Ｂ  こめかみ領域
Ｃ  下顎角領域
Ｌ１，Ｌ２  基準線